(57)【特許請求の範囲】
【請求項１】
排水経路に連通する大引水路及びこの大引水路を内部に設けた大引本体を有する大引と、
前記大引水路に連通する根太水路及びこの根太水路を内部に設けた根太本体を有し前記大引上に並んで載置される複数の根太と、
前記各根太本体の間に架設された床パネルと、
大引水路の上下位置を大引水路長手方向において可変支持する大引水路支持体と、を備え、
前記根太水路は前記床パネルから滴下する水を前記大引水路に排水し、前記大引水路は長手方向において勾配を有する床構造であって、
前記大引水路は、底面部と、この底面部から立設する可撓性を有する側面部を備え、
前記大引水路支持体は、前記側面部を撓ませることにより、大引水路の底面部の上下位置を可変し、大引水路の底面部のうち長手方向における複数箇所の外面をワイヤーで引き上げることにより、前記勾配を可変にする床構造。
【請求項２】
前記大引水路支持体は、大引水路を引き上げる操作量を検出する検出部を備える請求項１記載の床構造。
【請求項３】
前記大引水路を合成樹脂により成形し、大引水路の底面部にリブを設けた請求項１又は２に記載の床構造。
【請求項４】
前記根太水路の上下位置を根太水路長手方向において可変支持する根太水路支持体を備え、
前記根太水路は長手方向において勾配を有する請求項１〜３のいずれか１項に記載の床構造。
【発明の詳細な説明】
【技術分野】
【０００１】
本発明は、床構造に関し、さらに詳細には、床への散水によって床面の洗浄が可能な床構造に関する。
【背景技術】
【０００２】
この種の床構造として、本発明者が先に発明した下記特許文献に記載の床構造が知られている。
【０００３】
より詳しくは、内部に水通路を有する大引上に樋形状をなす根太を複数並べて載置し、さらに端部がこの根太の上方に位置するように根太間に架設・位置決めされた矩形の床パネルを備えて床構造が構成されている。また、洗浄に伴って床パネル上に散水された水は、床パネルの端部から樋形状をなす根太に滴り落ち、根太内に滴り落ちた水は、根太の内側を通じて大引内部の水通路に流れ込み、大引に設けられる排水口を通じて外部に排水される構造になっている。
【特許文献１】特開２００２−２２７３７８号公報
【発明の開示】
【発明が解決しようとする課題】
【０００４】
前記公報に開示された床構造は、井桁状の構造体にて細かく排水手段を講じてあるため、良好に排水を行えるものである。しかし、本発明者らは、高い排水効率をより安定して維持できる床構造の研究を行った結果、高い排水効率と共に良好な施工性を有する床構造の必要性をみいだした。
【０００５】
本発明は、このような技術的背景を考慮してなされたものであり、高い排水効率を安定維持できる床構造を提供することを課題とする。また、施工性の良好な床構造を提供することを課題とする。
【課題を解決するための手段】
【０００６】
上記した技術的課題を解決するため、本発明では以下の構成を採用した。
【０００７】
すなわち本発明の床構造は、排水経路に連通する大引水路及びこの大引水路を内部に設けた大引本体を有する大引と、前記大引水路に連通する根太水路及びこの根太水路を内部に設けた根太本体を有し前記大引上に並んで載置される複数の根太と、前記各根太本体の間に架設された床パネルと、大引水路の上下位置を大引水路長手方向において可変支持する大引水路支持体とを備える。前記根太水路は前記床パネルから滴下する水を前記大引水路に排水し、前記大引水路は長手方向において勾配を有する床構造である。前記大引水路は、底面部と、この底面部から立設する可撓性を有する側面部とを備える。前記大引水路支持体は、前記側面部を撓ませることにより、大引水路の底面部の上下位置を可変し、大引水路の底面部のうち長手方向における複数箇所の外面をワイヤーで引き上げることにより、前記勾配を可変にするというものである。
【００１０】
前記大引水路支持部は、大引水路を引き上げる操作量を検出する検出部を備えることができる。
【００１１】
また、前記大引水路を合成樹脂により成形し、大引水路の底面部にリブを設けることができる。
【００１２】
さらに、前記根太水路の上下位置を根太水路長手方向において可変支持する根太水路支持体を備え、前記根太水路は長手方向において勾配を有する構造とすることができる。
【００１３】
また、前記根太水路の上下位置を根太水路長手方向において可変支持する根太水路支持体を備え、根太水路が長手方向において勾配を有する構造とすることもできる。
【００１４】
そして、前記根太水路は、底面部と、この底面部から立設する可撓性を有する側面部とを備え、前記根太水路支持体は、前記側面部を撓ませることにより、根太水路底面部の上下位置を可変する床構造とすることができる。
【００１５】
また、根太水路の底面部を引き上げる根太水路支持体を備え、この根太水路支持体は、根太水路の長手方向における複数箇所に設けることができる
【００１６】
前記根太水路支持体は、根太水路を引き上げる操作量を検出する検出部を備えることができる。
【００１７】
また、前記大引水路及び根太水路を合成樹脂により成形し、大引水路及び根太水路の底面部にリブを設けることができる。
【００１８】
なお、上記した課題を解決するための手段に記載の内容は、本発明の課題や技術的思想を逸脱しない限りにおいて、可能な限り組み合わせることができる。
【発明の効果】
【００１９】
本発明によれば、高い排水効率を安定維持できる床構造を提供することができる。また、施工性の良好な床構造を提供することができる。
【発明を実施するための最良の形態】
【００２０】
以下、図面を参照して本発明の好適な実施の形態を説明する。
【００２１】
本実施形態に示す床ユニット（床構造）は、大引１０を、支柱５０を介して床スラブ上に支持して構築してある。そして、根太３０を大引１０に対して略直角に交差するよう且つ所定間隔を開けて複数の大引１０上に複数本載置している。前記支柱５０は締結体５９によって支柱５０に強固に固定されている。
【００２２】
前記大引１０は、内部に大引水路６０を有する大引本体１２によって構成されている。また、前記根太３０は、内部に根太水路７０を有する根太本体３１によって構成されている。
【００２３】
前記各根太３０間の所定間隔は、後述する床パネル８０の横方向の幅に対応して設定されている。また、根太本体３１は上部が開口した樋形状をなしている。
【００２４】
大引１０と根太３０の交差する箇所において、大引１０の上部には連通孔１８が設けられ、根太３０の下部にも連通孔３７が設けられている。このため両者の内部は、連通孔１８及び連通孔３７を通じて相互に接続された状態になる。なお、根太３０の連通孔３７には、その下方に向かって垂下したフランジ部が形成されており、大引１０と根太３０の位置決め、及び、連通部分における外部への漏水防止がなされている。
【００２５】
ここで、大引水路６０について詳細を説明する。大引水路６０は、押出成形にて形成された合成樹脂製の管状体であり、底面部６３と、底面部６３から立設する側面部６５と、側面部６５に延設された上面部を備えている。前記底面部６３の外周面には、４条のリブ６７が、大引水路６０の全長に亘って形成されている。また、側面部６５は、可撓性の蛇腹部を有しており、上下方向に大引水路６０が撓むようになっている。そして、上面部の所定位置には、押出成形後に開口部が設けられ、前記連通孔１８に対応するようになっている。
【００２６】
そして、横断面矩形状の鋼管である大引本体１２には、大引水路６０を引き上げるための大引水路支持金具４１（大引水路支持体）が取り付けられている。大引水路支持金具４１は、ワイヤー４７と、ワイヤー４７の両端部に設けられた検出部４３と、ワイヤー４７及び検出部４３を大引本体１２に固定する固定具４５とから構成されている。ワイヤー４７は、大引本体１２内にて、Ｕ字状をなし大引水路６０の外面を支える。そして、２つの固定具４５は、ワイヤー４７両端部の検出部４３が、大引本体１２の上面に突出するよう大引水路支持金具４１を大引本体１２に固定する。検出部４３は、大引水路６０引上の操作量を検出するが、この検出部４３は、棒状部に目盛りが表示されており、大引本体１２の上面から突出する長さを計測することにより、操作量を検出できるようになっている。
【００２７】
次に、根太水路７０について詳細を説明する。根太水路７０は、押出成形にて形成された合成樹脂製の樋状体であり、底面部７３と、底面部７３から立設する側面部７５とを備え、上部は全長に亘り開口している。前記底面部７３の外周面には、４条のリブ７７が、根太水路７０の全長に亘って形成されている。また、側面部７５は、可撓性の蛇腹部を有しており、上下方向に根太水路７０が撓むようになっている。そして、底面部７３の所定位置には、押出成形後に開口部が設けられ、前記連通孔３７に対応するようになっている。
【００２８】
そして、鋼管製の根太本体３１には、根太水路７０を引き上げるための根太水路支持金具９１（根太水路支持体）が取り付けられている。根太水路支持金具９１は、ワイヤー９７と、ワイヤー９７の両端部に設けられた検出部９３と、ワイヤー９７及び検出部９３を根太本体３１に固定する固定具９５とから構成されている。ワイヤー９７は、根太本体３１内にて、Ｕ字状をなし、根太水路７０の外面を支える。そして、２つの固定具９５は、ワイヤー９７両端部の検出部９３が、根太本体３１の上面に突出するよう根太水路支持金具９１を根太本体３１に固定する。検出部９３は、根太水路７０引上の操作量を検出するが、この検出部９３は、棒状部に目盛りが表示されており、根太本体３１の上面から突出する長さを計測することにより、操作量を検出できるようになっている。なお、大引水路支持金具４１は、図４に示すように、検出部４３を大引本体１２上に垂設するよう固定具４５で固定してもよいし、図５に示すように、検出部４３を大引本体１２上で屈曲させて固定するようにしてもよい。
【００２９】
また、根太本体３１の上部には、内方に折り曲げられた段部３５が形成されており、段部３５の内側に、根太水路７０の上部が位置するようになっている。
【００３０】
また、大引本体１２と根太本体３１は、Ｌ字金具３９によって固定されている。このＬ字金具３９は、大引本体１２側はボルト１６によって固定され、根太本体３１側はボルト３６で固定されている。
【００３１】
矩形状の床パネル８０は、隣接する根太３０，３０間に跨るように載置されており、これら複数の床パネル８０によって平面マトリクス状に広がる床面が形成されている。床パネル８０は、凹状に屈曲された補強部を有する芯材上に、床面材となる蓋部を固定することにより構成されている。そして、床パネル８０の横方向の両端部には、前記根太本体３
１の段部３５に嵌合可能な鍔部が形成されており、段部３５と鍔部とが合致して、床パネル８０の横方向の位置決めがなされる。
【００３２】
また、横方向に隣接する床パネル８０間には、間隙部８３が形成され、この間隙部８３の下方に根太本体３１の上部開口が位置し、床上空間と根太水路７０の内部空間とが連通することとなる。
【００３３】
次に、本実施形態の床構造の施工手順について説明する。
【００３４】
大引１０、根太３０、床パネル８０は、それぞれ工場にて生産され、施工現場にて組立られる。工場では、大引水路６０が、大引水路６０に巻回された締結紐により、蛇腹部が圧縮された状態にて大引本体１２の一端部から内挿される。この際、大引水路支持金具４１は、大引本体１２の内面に沿うよう弛緩した状態にしてあり、大引水路６０内挿の支障とはならない。すなわち、大引水路６０は、大引本体１２の内径に対して、直径が充分小さい状態で内挿されるものである。
【００３５】
そして、大引本体１２に内挿された大引水路６０は、大引本体１２の上面に設けられた穴部１５から、作業者により、巻回された締結紐が取り外されて蛇腹部が伸長する。これにより、大引水路６０は大引本体１２内で拡大する。
【００３６】
なお、前記穴部１５は、大引本体１２の長手方向にて等間隔に複数設けられた大引水路支持金具４１の近傍にそれぞれ形成されている。そして、前記締結紐は、大引水路６０を大引本体１２に内挿した際に、穴部１５から作業可能な位置を考慮して締結されている。
【００３７】
また、根太水路７０も大引水路６０と同様に、締結紐により蛇腹部が圧縮された状態にて根太本体３１の一端部から内挿される。この際、根太水路支持金具９１は、根太本体３１の内面に沿うよう弛緩した状態にしてあり、根太水路７０内挿の支障とはならない。なお、根太水路７０は、根太本体３１の開口した上部から押し込むようにしてもよい。
【００３８】
そして、施工現場では、大引１０と根太３０が組み立てられ、支柱５０の高さ調節を行うことにより、大引１０及び根太３０が、それぞれ水平位置となるように設定される。
【００３９】
次に、大引水路支持金具４１を調整することにより、大引水路６０の長手方向に勾配が設けられる。
【００４０】
大引水路支持金具４１が弛緩した状態では、大引水路６０の底面部６３は、大引本体１２の底部に当接している。すなわち、大引水路６０の底面部６３は、全長に亘り水平になっている。
【００４１】
ここで、ワイヤー４７を引き上げることにより、大引水路６０は、図８に示すように、側面部（蛇腹部）６５が圧縮されて、大引本体１２内で持ち上げられる。前記ワイヤー４７の引き上げ量は、検出部４３の目盛りにより検出される。すなわち、大引本体１２の上方に突出する検出部４３の目盛りを任意の位置に合わせて固定具４５にて固定することにより、底面部６３の大引本体１２内における上下位置を決めることができる。
【００４２】
排水勾配としては、１００分の１から２００分の１程度あればよいので、仮に大引１０の全長が１０メートルだとすると、大引水路６０の一端部を５０ミリメートル持ち上げれば、２００分の１の勾配を得ることができる。
【００４３】
そして、図１に示すように、大引水路支持金具４１（４１ａ、４１ｂ、４１ｃ、４１ｄ
）は、大引本体１２の長手方向において等間隔に設けられているので、例えば大引水路支持金具４１ａにおいては検出部４３を目盛り４に合わせ、大引水路支持金具４１ｂにておいては目盛り３に合わせ、大引水路支持金具４１ｃにおいては検出部４３を目盛り２に合わせ、大引水路支持金具４１ｄにておいては目盛り１に合わせると、大引水路６０が２００分の１の勾配となるよう設定しておくことができる。なお、大引水路６０の底面部６３には、４条のリブ６７が形成されているので、底面部の保形性は高く維持され、底面部が波状に変形する等の問題は生じない。
【００４４】
一方、根太水路７０も、大引水路６０と同様にして、根太水路支持金具９１を調整することにより、根太水路７０に所定の勾配を形成する。
【００４５】
そして、大引水路６０及び根太水路７０の勾配設定が完了した後、床パネル８０を各根太３０間に架設して、全体床を形成し、施工は終了する。
【００４６】
そして、床パネル８０上に洗浄水を散水すると、洗浄水は間隙部８３から根太３０の根太水路７０に滴下し、設定された勾配により流れ、連通穴３７、１８から大引１０の大引水路６０内に流下する。大引水路６０内の洗浄水は、さらに一方向に流れ、大引１０に連通した排水路１００に排水される。
【００４７】
以上のように、本実施形態の床構造によれば、大引水路及び根太水路に、所望の勾配を容易に設定することができ、高い排水効率と簡易な施工性を実現することができる。
【図面の簡単な説明】
【００４８】
【図１】本発明の実施の形態における床構造の部分斜視図。
【図２】本実施形態における大引と根太が交差する部分の断面図。
【図３】本実施形態における大引と根太が交差する部分の断面図。
【図４】本実施形態における要部の断面図。
【図５】本実施形態における要部の断面図。
【図６】本実施形態における大引の斜視図。
【図７】本実施形態における根太水路に勾配がなされる状態を示す図。
【図８】本実施形態における大引水路に勾配がなされる状態を示す図。
【符号の説明】
【００４９】
１０ 大引
１２ 大引本体
３０ 根太
３１ 根太本体
４１ 大引水路支持金具（大引水路支持体）
４３ 検出部
４７ ワイヤー
６０ 大引水路
６３ 底面部
６５ 側面部（蛇腹部）
６７ リブ
７０ 根太水路
７７ リブ
８０ 床パネル
９１ 根太水路支持金具（根太水路支持体）
９３ 検出部
９７ ワイヤー
【図１】
0004653610.tif 000002
【図２】
0004653610.tif 000003
【図３】
0004653610.tif 000004
【図４】
0004653610.tif 000005
【図５】
0004653610.tif 000006
【図６】
0004653610.tif 000007
【図７】
0004653610.tif 000008
【図８】
0004653610.tif 000009